(57)【要約】      （修正有）【課題】簡単な構造を有し、正確な操作入力が可能な電子機器を提供する。【解決手段】表面パネル３４の背面側に設けられた基板３３と、基板３３に実装される光源３３１と、表面パネル３４に接触する操作体とそれ自体との間の静電容量を検出する静電容量検出部３５と、凹面３７１を有するレンズ３７と、を備える。レンズ３７が、凹面３７１を光源３３１と対向させるとともに、出光面３７３を表面パネル３４に対向させて配置する。【選択図】図８
2017090954.tif 000002
【特許請求の範囲】
【請求項１】
表面パネルに設けられた操作領域への操作が行われる電子機器であって、
前記表面パネルの背面側に設けられた基板と、
前記基板に実装されて前記表面パネルに向けて光を出射する出光部を有する光源と、
前記基板に実装されて前記表面パネルに接触する操作体とそれ自体との間の静電容量を検出する静電容量検出部と、
凹面と、前記凹面と反対側に設けられた出光面とを有するレンズとを備え、
前記レンズが、前記凹面を前記出光部と対向させるとともに、前記出光面を前記表面パネルに対向させて配置された電子機器。
【請求項２】
少なくとも前記レンズの一部と前記静電容量検出部と接触し導電性を有する導電部材が設けられており、
前記導電部材が弾性変形可能である請求項１に記載の電子機器。
【請求項３】
前記レンズを固定する固定部材が設けられており、
前記レンズは前記操作領域に近づくほど広がる傾斜面を有しており、
前記支持部材は、前記レンズが収容されるとともに少なくとも前記傾斜面の一部と接触して前記レンズを支持する支持部を備えており、
前記支持部が光を反射する反射面である請求項１又は請求項２に記載の電子機器。
【請求項４】
前記レンズと前記表面パネルとが密接している請求項１から請求項３のいずれかに記載の電子機器。
【請求項５】
前記表面パネルには、前記操作領域に比べて面積が小さく形成されているとともに情報を通知する通知領域が設けられており、
前記光源は、前記操作領域に光を出射する第１ＬＥＤと、前記通知領域に光を出射する第２ＬＥＤとを含み、
前記基板には、前記第１ＬＥＤ及び第２ＬＥＤの両方が実装されている請求項１から請求項４のいずれかに記載の電子機器。
【発明の詳細な説明】
【技術分野】
【０００１】
本発明は、使用者の指等の接触で入力を行う電子機器に関する。
【背景技術】
【０００２】
接触により操作入力を行う電子機器が、特許文献１及び特許文献２に記載されている。特許文献１に記載の電子機器は静電スイッチである。前記静電スイッチは、光源からの光を透光させるとともに操作面を形成する基材パネルと、遮光性を有し一部に光源からの光が透過する開口が形成された遮光層と、前記光源からの光を拡散させる拡散透過層と、前記操作面への操作を検出する検出手段とを備えている。前記静電スイッチにおいて、前記光源は、前記基材パネル、前記遮光層及び前記検出手段よりも背面側に設けられている。そして、操作面に設けられた発光領域には前記光源からの光がむらなく入射し、前記操作面を正確に表示する。
【０００３】
また、特許文献２に記載の電子機器は静電容量式タッチセンサである。前記静電容量式タッチセンサは、照光機能を有しており、ＬＥＤ（光源）と、導光板と、それらが配置されるＦＰＣとを備えている。ＦＰＣには、導光板から光を取り出すための抜き穴が設けられている。そして、表面パネルの前記抜き穴と対向する位置には、印刷等を用いて形成されたアイコンが配置されている。前記導光板は、前記抜き穴と重なるように配置されており、ＬＥＤから出射された光は導光板の側面から入射し、導光板の前面から光が出射される。そのため、ＬＥＤとして、側面発光型のＬＥＤが用いられる。そして、導光板から出射された光は抜き穴を透過して、アイコンを背面から照光する。これにより、使用者が表面パネル上のアイコンの位置を正確に把握して、タッチ入力を正確に行うことができる。
【先行技術文献】
【特許文献】
【０００４】
【特許文献１】特開２０１５−４１２２３号公報
【特許文献２】特開２０１３−６５４２９号公報
【発明の概要】
【発明が解決しようとする課題】
【０００５】
上記特許文献１に記載の静電スイッチでは、発光領域の背面に光源を配置する構成である。このような、発光領域の背面に光源を配置する構成において、ＬＥＤのような光の照射領域が狭い光源を用いる場合、発光領域の全体に十分な光量で照射するためには、光源から発光領域までの距離を長くする必要がある。そのため、静電スイッチを小型化することが困難である。
【０００６】
また、上記特許文献２に記載の静電容量式タッチセンサでは、側面に受光面を有する導光板を用いているため、装置が厚くなるのを抑制することができる。しかしながら、通常、静電容量式タッチセンサでは、情報を表示するために、背面発光型のＬＥＤと側面発光型のＬＥＤとを用いる必要がある。また、背面発光型のＬＥＤと導光板を用いる側面発光型のＬＥＤでは、表面パネルまでの距離が異なるため、それぞれ異なる位置に設けられた基板に実装される。すなわち、ＬＥＤ用に２個の基板が必要となる。これらのことから、構造が複雑になるとともに、製造に要するコストが高くなる。
【０００７】
そこで、本発明は、簡単な構造を有し、操作体による操作入力を正確に検出できる電子機器を提供することを目的とする。
【課題を解決するための手段】
【０００８】
上記目的を達成するために本発明は、表面パネルに設けられた操作領域への操作が行われる電子機器であって、前記表面パネルの背面側に設けられた基板と、前記基板に実装されて前記表面パネルに向けて光を出射する出光部を有する光源と、前記基板に実装されて前記表面パネルに接触する操作体とそれ自体との間の静電容量を検出する静電容量検出部と、凹面と、前記凹面と反対側に設けられた出光面とを有するレンズとを備え、前記レンズが、前記凹面を前記出光部と対向させるとともに、前記出光面を前記表面パネルに対向させて配置されている。
【０００９】
この構成によると、操作領域の背面から光を照射して、文字、図形等を浮かび上がらせる表示を行う場合に、指向性の高いＬＥＤを光源として用いても、光源と表面パネルまでの距離が短くても、広い操作領域における表示が可能である。これにより、電子機器を小型化することが可能である。また、静電容量の変化を検出する構成であることから、指等の操作体と静電容量検出部との間の長さを短くできるので、操作体の接触または離間を正確に検出可能である。
【００１０】
上記構成において、少なくとも前記レンズの一部と前記静電容量検出部と接触し導電性を有する導電部材が設けられており、前記導電部材が弾性変形可能であってもよい。このように構成することで、表面パネルに接触する使用者の指等の操作体と静電容量検出部との実質上の距離を短くできる。これにより、操作体の接触または離間を正確に検出可能である。
【００１１】
上記構成において、前記レンズを固定する固定部材が設けられており、前記レンズは前記操作領域に近づくほど広がる傾斜面を有しており、前記支持部材は、前記レンズが収容されるとともに少なくとも前記傾斜面の一部と接触して前記レンズを支持する支持部を備えており、前記支持部が光を反射する反射面であってもよい。
【００１２】
上記構成において、前記レンズと前記表面パネルとが密接していてもよい。このように構成することで、表面パネルに接触する使用者の指等の操作体と静電容量検出部との間に、比誘電率が低い空気が介在するのを抑制できる。これにより、操作体の接触または離間を正確に検出可能である。
【００１３】
上記構成において、前記表面パネルには、前記操作領域に比べて面積が小さく形成されているとともに情報を通知する通知領域が設けられており、前記光源は、前記操作領域に向けて光を出射する第１ＬＥＤと、前記通知領域に向けて光を出射する第２ＬＥＤとを含み、前記基板には、前記第１ＬＥＤ及び第２ＬＥＤの両方が実装されていてもよい。このように構成することで、第１ＬＥＤ及び第２ＬＥＤと表面パネルまでの距離を変えることなく大きさが異なる操作領域と通知領域に対してむらなく光を照射できる。これにより、距離を変更したり、照射方向を変更するために、複数の基板を必要としないため、構造を簡略化することができる。
【発明の効果】
【００１４】
本発明によると、簡単な構造を有し、操作体による操作入力を正確に検出できる電子機器を提供することができる。
【図面の簡単な説明】
【００１５】
【図１】本発明にかかる電子機器の一例の空気清浄機の正面図である。
【図２】図１に示す空気清浄機の背面図である。
【図３】図１に示す空気清浄機を上下中間部分で切断した断面図である。
【図４】図１に示す空気清浄機を左右中間部分で切断した断面図である。
【図５】図１に示す空気清浄機の平面図である。
【図６】筐体の上面に設けられたインターフェース部の概略図である。
【図７】表面カバーを取り外した状態の基板を示す図である。
【図８】インターフェース部の操作部の断面図である。
【図９】インターフェース部の通知部の断面図である。
【図１０】本発明にかかる電子機器に用いられるインターフェース部の操作部の他の例の断面図である。
【図１１】本発明にかかる電子機器の他の例である加湿空気清浄機の正面側から見た斜視図である。
【図１２】図１１に示す加湿空気清浄機の断面図である。
【図１３】加湿ユニットの斜視図である。
【図１４】図１３に示す加湿ユニットに用いられる給水体の正面図である。
【図１５】フィルタ体の一部を拡大した斜視図である。
【図１６】筐体の上面に設けられたインターフェース部の概略図である。
【発明を実施するための形態】
【００１６】
以下に本発明の実施形態について図面を参照して説明する。
【００１７】
＜第１実施形態＞
図１は、本発明にかかる電子機器の一例である空気清浄機の正面図である。図２は、図１に示す空気清浄機の背面図である。図３は、図１に示す空気清浄機を上下中間部分で切断した断面図である。図４は、図１に示す空気清浄機を左右中間部分で切断した断面図である。
【００１８】
なお、以下の説明では、特にことわりがない場合、図１に示す空気清浄機Ａを基準として、上下方向及び左右方向を定義する。また、図１の紙面奥行方向を前後方向とし、紙面手前側を前方として各部の説明を行う。
【００１９】
空気清浄機Ａは、筐体１０と、筐体１０の内部に配置された集塵機２０と、筐体１０の上面に設けられたインターフェース部３０とを備えている。筐体１０は、空気清浄機Ａの外装を構成するものであり、直方体形状の箱部材である。筐体１０は、吸込口１１と、通風路１２と、吹出し口１３とを有している。
【００２０】
図２に示すように、吸込口１１は筐体１０の背面に設けられている。吸込口１１は、長方形状であり、外部の空気を筐体１０の内部に吸い込む開口である。通風路１２は、集塵機２０に設けられた後述の送風機２４の駆動によって発生する空気の流れ（気流）を流す空間である。通風路１２は、分岐部１２１と、分岐風路１２２とを備えている。分岐風路１２２は、筐体１１の内部の左右の端部側に１個ずつ形成されている。分岐部１２１は、左右の分岐風路１２２を接続している。分岐部１２１は、吸込口１１から吸い込まれた空気を、左右それぞれの分岐風路１２２に分岐させる。
【００２１】
吹出し口１３は、筐体１０の正面の左右両方に１個ずつ設けられている。吹出し口１３は、分岐風路１２２と連続しており、吹出し口１３から、分岐風路１２２を通過した空気が外部に吹出される。そして、左右両方の吹出し口１３それぞれには、格子状のグリル１３１が取り付けられている。
【００２２】
空気清浄機Ａでは、吸込口１１、通風路１２及び吹出し口１３がこの順番で連通している。そして、吸込口１１から筐体１０の内部に吸い込まれた空気は、通風路１２を通過して、吹出し口１３から筐体１０の外部に吹出される。
【００２３】
空気清浄機Ａでは、筐体１０の内部に集塵機２０が設けられている。集塵機２０は、プレフィルタ２１と、集塵フィルタ２２と、除塵部２３と、送風機２４とを有している。送風機２４は、左右の分岐風路１２２のそれぞれの内部に１個ずつ配置されている。図３に示すように、送風機２４は、遠心ファンである。しかしながら、これに限定されるものではなく、気流を発生させることができるファンを広く採用することができる。送風機２４は、不図示の電動機（モータ）が接続されており、モータによる駆動で気流が発生する。
【００２４】
プレフィルタ２１は、筐体１０の内部に配置されており、吸込口１１に面して配置されている。プレフィルタ２１は、ＡＢＳ樹脂等の合成樹脂で形成され、縦横にマトリクス状に配置された窓を有する矩形の枠２１１にポリプロピレン等で形成されたメッシュ２１２を溶着して形成されている。メッシュ２１２は、吸込口１１から吸い込まれた空気に含まれる塵埃を捕集する。プレフィルタ２１に捕集された塵埃は、除塵部２３によって取り除かれる（除塵される）。
【００２５】
除塵部２３は、筐体１０内部の上部空間に配置されている。除塵部２３は、回転ブラシ２３１と、ダストボックス２３２と、ガイドフレーム２３３と、ピニオン２３４とを備えている。除塵部２３は、ガイドフレーム２３３に沿ってプレフィルタ２１を移動させる。プレフィルタ２１に付着している塵埃は、回転ブラシ２３１によって取り除かれ、ダストボックス２３２に集められる。
【００２６】
ピニオン２３４は、プレフィルタ２１の左右両側端に設けられたラック（不図示）と噛み合っている。ピニオン２３４は、不図示のモータによって回転され、ピニオン２３４が回転することで、プレフィルタ２１が吸込口１１と対向した集塵位置Ｐ１と、除塵部２３に退避した退避位置Ｐ２との間を往復移動する。このとき、プレフィルタ２１は、ガイドフレーム２３３によってガイドされる。
【００２７】
ダストボックス２３２は、ガイドフレーム２３３に沿って配置され、筐体１０に対して着脱可能になっている。筐体１０の背面には、ダストボックス２３２を出し入れするための開口部１４が設けられている。
【００２８】
回転ブラシ２３１はダストボックス２３２の内部に配されている。回転ブラシ２３１は不図示のモータによって回転駆動される。なお、回転ブラシ２３１を回転駆動するモータと、ピニオン２３４を回転駆動するモータとは、異なるモータであってもよいし、共通のモータであってもよい。回転ブラシ２３１は、回転軸と、回転軸の外周に設けられたブラシ毛を備えている。ブラシ毛は回転軸の外周に軸方向に立設されている。回転ブラシ２３１は、プレフィルタ２１が集塵位置Ｐ１から退避位置Ｐ２に移動するときに、ブラシ毛の先端の移動方向が、プレフィルタ２１の移動方向と逆方向となるように回転される。これにより、プレフィルタ２１が集塵位置Ｐ１から退避位置Ｐ２に移動するときに、プレフィルタ２１の表面に捕集されている塵埃をブラシ毛で取り除く。回転ブラシ２３１で取り除かれたプレフィルタ２１の塵埃は、ダストボックス２３２に溜められる。
【００２９】
除塵部２３によるプレフィルタ２１の除塵は、定期的に、例えば、前回の除塵からの空気清浄運転の積算時間が一定時間に到達したときに、行うようにしてもよい。また、センサを取り付けておき、プレフィルタ２１が一定以上汚れたときに、行うようにしてもよい。プレフィルタ２１の汚れの検知としては、プレフィルタ２１を直接確認するものであってもよいし、プレフィルタ２１を通過する空気の量を検出し、プレフィルタ２１の目詰まりを検出するようにしてもよい。なお、除塵部２３が動作するときには、送風機２４は停止される。
【００３０】
通風路１２の分岐部１２１と分岐風路１２２との境界部分には、集塵フィルタ２２が設けられている。すなわち、集塵フィルタ２２は、左右の分岐風路１２２に流入する空気が透過するように、左右両方に設けられている。集塵フィルタ２２としては、例えば、ＨＥＰＡフィルタを挙げることができるが、これに限定されない。集塵フィルタ２２は、ろ材２２１と、枠材２２２とを有している。ろ材２２１は、通過する空気の塵埃等の異物を捕集するものである。枠材２２２は樹脂で形成されており、ホットメルトでろ材２２１が固定されている。なお、ろ材２２１は、蛇腹状に折りたたまれる（プリーツ加工される）ことが好ましい。これにより、ろ材２２１のろ過面積を大きくすることができる。
【００３１】
ろ材２２１の隙間は、メッシュ２１２よりも細かい。すなわち、集塵フィルタ２２は、プレフィルタ２１よりも微小な異物（例えば、ＰＭ２．５：微小粒子状物質）を捕集可能である。集塵フィルタ２２は、左右の送風機２４のそれぞれの空気を吸い込む部分の上流に配置されている。空気清浄機Ａでは、プレフィルタ２１で、大きな異物を捕集し、プレフィルタ２１で捕集できない微小な異物を集塵フィルタ２２で捕集する。
【００３２】
プレフィルタ２１と集塵フィルタ２２との間には、活性炭等の空気中に含まれるにおい成分（粒子）を吸着する吸着材を備えた脱臭フィルタ（不図示）が設けられていてもよい。これにより、空気中のにおい成分が吸着材に吸着され、空気を脱臭することが可能である。
【００３３】
また、通風路１２には、気流にイオンを供給するイオン発生機１５が設けられている。イオン発生器１５は、分岐風路１２２のそれぞれに、電極が分岐風路１２２の内部に臨んでいる。イオン発生器１５では、電極に交流波形又はパルス波形の電圧が印加されることで、プラスイオン及び（又は）マイナスイオンが発生する。
【００３４】
例えば、電極の印加電圧が正電圧の場合、主として、Ｈ+（Ｈ2Ｏ）ｍを含むプラスイオンが発生する。負電圧の場合、主として、Ｏ2-（Ｈ2Ｏ）ｎを含むマイナスイオンを発生する。ここで、ｍ、ｎは整数である。Ｈ+（Ｈ2Ｏ）ｍ及びＯ2-（Ｈ2Ｏ）ｎは空気中の浮遊菌や臭気成分の表面で凝集してこれらを取り囲む。
【００３５】
そして、式（１）〜（３）に示すように、衝突により活性種である［・ＯＨ］（水酸基ラジカル）やＨ2Ｏ2（過酸化水素）を微生物等の表面上で凝集生成して浮遊菌等を破壊する。ここで、ｍ’、ｎ’は整数である。したがって、空気清浄機Ａはプラスイオン及びマイナスイオンを発生して吹出口１３から送出することにより室内の除菌及び臭い除去を行うことができる。
【００３６】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３７】
集塵フィルタ２２の近傍には塵埃センサ（不図示）及び臭いセンサ（不図示）が設けられる。塵埃センサは発光素子及び受光素子を有する光学センサにより構成され、受光素子から出力される出力パルス幅に基づいて空気中の塵埃の濃度を検知する。また、塵埃センサの出力電圧のパルス波形によりＰＭ２．５とＰＭ２．５よりも粒径の大きい塵埃とを識別することができる。例えば、ＰＭ２．５のパルス波形はなだらかなピークを有する波形になり、粒径の大きい塵埃のパルス波形は尖ったピークを有する波形になる。これにより、塵埃センサの検知結果から空気中のＰＭ２．５の濃度を抽出することができる。臭いセンサは空気中の臭気成分の濃度を検知する。
【００３８】
空気清浄機Ａは、筐体１０の上面に設けられたインターフェース部３０を介して、使用者に情報を通知したり、使用者からの操作入力を受け付ける。以下にインターフェース部３０の詳細について図面を参照して説明する。図５は、図１に示す空気清浄機の平面図であり、図６は、筐体の上面に設けられたインターフェース部の概略図であり、図７は、表面カバーを取り外した状態の基板を示す図である。なお、図７では、説明の便宜上、ボタン３１ａ〜３１ｅ及び表示部３２ａ〜３２ｆを概略形状で示している。
【００３９】
図５に示すように、空気清浄機Ａにおいて、筐体１０の上面には、インターフェース部３０が設けられている。図６に示すように、インターフェース部３０は、使用者による操作入力を受け付ける操作部３０１と、空気清浄機Ａの状態を通知する通知部３０２とを備えている。なお、インタフェース部３０の操作部３０１及び通知部３０２は、内部に配置された第１ＬＥＤ３３１又は第２ＬＥＤ３３２から出射された光の透過によって、位置や情報を使用者に知らせる。インターフェース部３０は、後述する遮光部材３４２に設けられた開口３４４を第１ＬＥＤ３３１又は第２ＬＥＤ３３２から出射された光が透過することで、情報を表示する。この表示の詳細については、後述する。
【００４０】
操作部３０１は、複数のボタン３１ａ〜３２ｆを有し、使用者の操作によって空気清浄機Ａの動作設定が行われる。ボタン３１ａ〜３２ｆには、それぞれ、図形（すなわち、アイコン）又は文字列によって、関連付けられた操作を使用者に表示している。ボタン３１ａの操作により、タイマー動作の設定が行われる。例えば、電源ＯＮ／ＯＦＦの時刻を決定したり、電源ＯＮ／ＯＦＦまでの時間を設定することができる。ボタン３１ｂの操作により、除塵部２３によるプレフィルタ２１の除塵が行われる。ボタン３１ｃの操作により、送風機２４の風量を調整することができる。
【００４１】
ボタン３１ｄは、集塵フィルタ２３の交換時期を知らせるとともに、ボタン３１ｄの操作により、集塵フィルタ２２の交換時期の通知のリセットを行う。ボタン３１ｅはダストボックス２３２に溜まっている異物の廃棄が必要であることを知らせるとともに、ボタン３１ｄが操作されることで、ボタン３１ｄによる異物に廃棄の通知をリセット行う。ボタン３１ｆの操作により、空気清浄機Ａの電力供給が開始又は停止される、いわゆる、電源ボタンである。
【００４２】
なお、ボタン３１ａ〜３１ｅは、上述のような、遮光部材３４２に設けられた開口３４４を通過する光によって図形及び文字が浮かび上がる。そのため、ボタン３１ａ〜３１ｅの背面には、第１ＬＥＤ３３１が配置される。すなわち、ボタン３１ａ〜３１ｅは、空気清浄機Ａの電源がＯＦＦのときには、表示されない。一方、ボタン３１ｆは電源ボタンであるため、空気清浄機Ａの電源がＯＮであるかＯＦＦであるかにかかわらず、使用者から視認される必要がある。そのため、ボタン３１ｆについては、インターフェース部３０の後述する表面パネル３４に形成されている。ボタン３１ｆについては、印刷であってもよいし、表面に形成された凹部であってもよい。ここでは、印刷とする。
【００４３】
通知部３０２は、表示部３２ａ〜３２ｇを有し、空気清浄機Ａの現在の状態、或いは、使用者によって行われている操作を表示する。表示部３２ａは、発光する７個のセグメントを備えた、いわゆる７セグ表示部である。表示部３２ａは、７個のセグメントの発光／非発光を切り替えることで、数字、アルファベット等の文字を表示する。ここでは、タイマ使用時の時間や、現在時刻、気温等を表示するのに用いられる。
【００４４】
表示部３２ｂは、予め決められた時間経過後に電源ＯＮにする「入タイマ」と、電源ＯＦＦにする「切タイマ」との何れかを表示する表示部である。いわゆる発光式の文字表示となっている。表示部３２ｃは、空気清浄機Ａの周囲の空気の状態を通知する。通知する情報としては、「ニオイ」、「ほこり」、「ＰＭ２．５」の３個の項目としているが、これに限定されない。そして、これら文字による表示に隣接して、それぞれの表示に４個ずつインジケータが設けられている。このインジケータは点灯または消灯するものであり、点灯している個数で各項目の状態を通知する。ここでは、通知する情報「ニオイ」、「ほこり」、「ＰＭ２．５」の文字を発光式としているが、プリントであってもよい。
【００４５】
表示３２ｄは、イオン発生器１５が駆動中のときに点灯する。図６において、説明を省いた文字表示があるが、特に説明しない場合は、発光式の文字表示であってもよいし、プリントであってもよい。発光式の文字表示とすることで電源ＯＦＦ時に、インターフェース部３０の表面の表示を無くすことができ、意匠性を高めることが可能である。
【００４６】
表示３２ｅは、ボタン３１ｂの入力操作がロックされているか否かを通知する。点灯時には、ボタン３１ｂがロックされていることを通知している。表示３２ｆは、送風機２４の送風強度を通知する。例えば、送風強度としては、「自動」、「強」、「中」及び「静音」が設定されているが、これに限定されない。例えば、表示３２ｃのように、点灯するインジケータの個数で送風強度を示すようにしてもよい。表示３２ｆは発光式の文字表示である。
【００４７】
次に、本発明にかかる電子機器のインターフェース部の詳細について説明する。図８は、インターフェース部の操作部の断面図である。図９は、インターフェース部の通知部の断面図である。上述のとおり、インターフェース部３０では、アイコン又は文字列の表示を背面からの光を透過させて発光させて表示している。図７に示すように、インターフェース部３０では、操作部３０１のボタン３１ａ〜３１ｅのそれぞれの下方には、光源である第１ＬＥＤ３３１が配置される。また、通知部３０２の表示部３２ａ〜３２ｆのそれぞれの表示体（例えば、表示部３２ａの各セグメントや表示部３２ｃの各インジケータ）の下方には、光源である第２ＬＥＤ３３２が配置される。
【００４８】
図６、図７に示すように、操作部３０１のボタン３１ａ〜３１ｅそれぞれの表示を行う範囲と、通知部の表示部３２ａ〜３２ｆの表示を行う領域とでは、大きさが異なる。そのため、操作部３０１と通知部３０２とは異なる構成を有している。インターフェース部３０において、操作部３０１及び通知部３０２には共通部分がある。そこで、先ず操作部３０１及び通知部３０２の共通部分について説明する。
【００４９】
図８、図９に示すように、インタフェース部３０は、基板３３と、表面パネル３４とを備えている。基板３３は、一般的によく用いられるプリント配線基板である。表面パネル３４は、拡散部材３４１と、遮光部材３４２と、透光部材３４３とを備えている。拡散部材３４１は、入射する光を拡散させ、透過する光の輝度の偏り（輝度むら）を抑制する。拡散部材３４１は、従来よく知られた部材であるため、詳細は省略する。
【００５０】
遮光部材３４２は、光を遮断する。遮光部材３４２としては、黒色を用いているが、これに限定されない。表面パネル３４では、遮光部材３４２の上部に透光部材３４３が配置されている。そのため、表面パネル３４は外側から見たときには、遮光部材３４２が見える。すなわち、表面パネル３４は、外側から見ると、遮光部材３４２の色に見える。ここでは、遮光部材３４２が、黒色であるため、インターフェース部３０は黒色に見える。また、遮光部材３４２が黒色であることから、インターフェース部３０の内部に外部からの光が遮られる。そのため、空気清浄機Ａの電源がＯＦＦのとき、インターフェース部３０では、ボタン３１ｆ以外のボタン３１ａ〜３１ｅ及び表示部３２ａ〜３２ｆは見えない（隠れる）。
【００５１】
遮光部材３４２には、開口３４４が設けられている。遮光部材３４２は開口３４４を光が通過し、その他の部分では光が遮断される。そのため、開口３４４は、操作部３０１のアイコンや文字列、通知部３０２のセグメント、インジケータ及び文字列の形状を有している。
【００５２】
透光部材３４３は、ガラス、アクリル樹脂、ポリカーボネイト樹脂等の光の透過率が高い材料で形成されている。表面パネル３４は、拡散部材３４１と透光部材３４３とで遮光部材３４２を挟んで固定した構成を有している。なお、拡散部材３４１、遮光部材３４２及び透光部材３４３は、光透過率が高い接着剤で接着されるものとしている。これにより、遮光部材３４２の開口３４４に接着剤が充填されるので、表面パネル３４に空気の層が形成されるのを抑制することができる。また、拡散部材３４１と遮光部材３４２とはこの構成に限定するものではなく、遮光部材３４２の表面に光を拡散する層を印刷して構成しても良い。
【００５３】
通知部３０２の構成について説明する。通知部３０２の表示部３２ａ〜３２ｆは、大きさ、図形又は文字列が異なる以外、同じ構造を有している。そこで、全てを代表して表示部の通知領域３２として説明する。通知部３０２では、基板３３に第２ＬＥＤ３３２が実装されている。また、通知部の通知領域３２には、セグメント、インジケータ又は文字列を形成する開口３４４が配置される。そして、第２ＬＥＤ３３２から出射された光が開口３４４を透過する。これにより、使用者が、通知領域３２を透光部材３４３の表面側から見ると、表示領域３２、すなわち、セグメント、インジケータ又は文字列が発光しているように見える（浮かび上がる）。
【００５４】
セグメント、インジケータ又は文字列をむらなく表示するために、第２ＬＥＤ３３２で対応する開口３４４に均一又は略均一な光を照射する。通常、ＬＥＤは配光が狭いため、第２ＬＥＤ３３２の出光面から表面パネル３４との間は、距離Ｌとなる。すなわち、基板３３と表面パネル３４との距離Ｌは、第２ＬＥＤ３３２の配光角度と通知領域３２に配置される開口３４４の大きさによって決定される。なお、図示しないが、ＬＥＤ３３２と表面パネル３４との間に、ＬＥＤ３３２と開口３４４とを覆う遮光部材を備えることで、ＬＥＤ３３２からの光が意図しない開口から漏れ出ることを防ぐことができる。
【００５５】
次に、操作部３０１の構成について説明する。まず、発光式の表示を行わないボタン３１ｆについて説明する。ボタン３１ｆは電源ボタンであり、発光式の表示を行わずに、アイコンをプリントしている。アイコンのプリントは、透光部材３４３の表面であってもよいし、透光部材３４３の遮光部材３４２と対向する面であってもよい。透光部材３４３の遮光部材３４２と対向する面にプリントすることで、使用者が正確に視認できるとともに、使用によってアイコンが削れるのを抑制することができる。また、ボタン３１ｆの下方の基板３３上には、後述する静電センサ３５が配置されており、静電センサ３５と表面パネル３４との間に、それぞれと接触する後述の導電部材３６が設けられている。ボタン３１ｆに配置される導電部材３６は、中実な円柱形状であってもよい。
【００５６】
操作部３０１はボタン３１ａ〜３１ｅのそれぞれに発光式の表示を行っている。ボタン３１ａ〜３１ｅの発光式の表示は、大きさ、図形又は文字列が異なる以外、同じ構造を有している。そこで、全てを代表して操作領域３１として説明する。
【００５７】
操作領域３１の下方には、第１ＬＥＤ３３１と、静電センサ３５（静電容量検出部）と、導電部材３６と、レンズ３７と、固定部材３８とが設けられている。なお、基板３３及び表面パネル３４（遮光部材３４２の開口３４４の形状を除く）は、通知部３０２と共通の構成である。第１ＬＥＤ３３１は、基板３３の操作領域３１と対応する部分の中心部分に実装される。基板３３の第１ＬＥＤ３３１が実装されている部分は、光を反射する反射面が形成されている。なお、反射面は、白色の表面を有しているものを挙げることができるが、これに限定されない。
【００５８】
静電センサ３５は、蓄積された電荷を検知するセンサである。静電センサ３５は、表面パネル３４に接触する使用者の指等の操作体とコンデンサを構成し、操作体の電荷に応じて蓄積される電荷を検知する。つまり、操作体との間で形成されるコンデンサの静電容量の変化を検知する。そして、検知結果に応じて、操作体の表面パネル３４への接触又は離間を検出する。静電センサ３５は、基板３３に実装されており、操作領域３１と同じ又は略同じ外周形状を有する。基板３３の操作領域３１と対応する部分の中心部分には、第１ＬＥＤ３３１が実装される。そのため、静電センサ３５は円環形状である（図７参照）。なお、静電センサ３５は、操作体が表面パネル３４に接触したときに、電荷を検知できる程度の大きさであればよい。
【００５９】
第１ＬＥＤ３３１の上方には、レンズ３７が設けられている。レンズ３７は第１ＬＥＤ３３１から出射された光の照射範囲を拡大する、いわゆる、凹レンズである。レンズ３７は、凹面３７１と、拡大部３７２と、出光面３７３とを備えている。レンズ３７は、凹面３７１と、出光面３７３とが反対向きに形成されている。拡大部３７２は、出光面３７３に近づくにしたがって、面積が大きくなる円錐形状を有している。拡大部３７２の最も大きい部分に、出光面３７３が形成されている。出光面３７３は、操作領域３１と同じ大きさ又はそれよりも大きく形成されている。すなわち、平面視において、出光面３７３は、開口３４４が内部に収まる大きさを有している。
【００６０】
レンズ３７は、固定部材３８に固定されている。固定部材３８は、すり鉢状の貫通孔３８１を有しており、貫通孔３８１の傾斜面３８２にレンズ３７の拡大部３７２が接触することで、レンズ３７を保持している。そして、固定部材３８が、表面パネル３４に固定されることで、レンズ３７も固定される。固定部材３８は、表面パネル３４に固定されてもよいし、基板３３に固定することで、表面パネル３４に押し付けて実質上固定されるようにしてもよい。また、レンズ３７と表面パネル３４とを密着させ、間に空気の層が介在しないことが好ましい。これにより、静電センサ３５による操作の検出の感度（精度）を高めることが可能である。
【００６１】
貫通孔３８１の傾斜面３８２は、光を反射する構造（例えば、白色の表面を有する構造）となっている。これにより、凹面３７１から入射した光が拡大部３７２から外部に漏れた場合でも、傾斜面３８２で反射されて、レンズ３７に戻る。これにより、第１ＬＥＤ３３１から出射された光を無駄なく利用することができる。拡大部３７２から漏れた光をきっちりレンズ３７に戻すために、拡大部３７２の表面と傾斜面３８２とは、密着している、換言すると、空気の層が介在しないことが好ましい。特に、レンズ３７と固定部材３８とを一体で成型すると、空気の層を介在させることなく構成することができる。
【００６２】
レンズ３７又は固定部材３８と静電センサ３５の間には、隙間があり、この部分に比誘電率が小さい空気が介在すると、静電センサ３５に溜まる電荷が少なくなり、電荷の検知精度が低下する。すなわち、操作体の表面パネル３４への接触又は離間の検出が困難になる。つまり、静電センサ３５が表面パネル３４に操作体（指）が接触したことを正確に検出するため、表面パネル３４と静電センサ３５との間に空気が介在しないことが好ましい。
【００６３】
そこで、静電センサ３５とレンズ３７及び固定部材３８との間に導電部材３６が設けられている。導電部材３６は、静電センサ３５とレンズ３７との両方と接触している。また、導電部材３６は、静電センサ３５と固定部材３８との両方と接触している。導電部材３６は、弾性変形可能な部材、すなわち、導電クッションである。導電部材３６は静電センサ３５と接触するため、操作体と静電センサ３５とで形成されるコンデンサは、操作体と導電部材３６の上面とで構成されるコンデンサに置き換えられる。導電部材３６と操作体との間には、表面パネル３４、レンズ３７及び固定部材３８が介在しており空気が介在しない。そして、操作体と導電部材３６との距離が短くなるため、静電センサ３５は多くの電荷を溜めることが可能となる。このことから、静電センサ３５による操作体の接触又は離間を正確に検出することが可能となる。
【００６４】
このように、レンズ３７を用いることで、基板３３と表面パネル３４との距離Ｌを、光を照射する範囲が狭い通知領域３２に合せて設定し、同じ距離Ｌで、照射する範囲が広い操作領域３１に輝度むらの少ない光を照射することができる。また、基板３３と表面パネル３４との距離Ｌを、操作領域３１と通知領域３２とで共通とすることで、基板３３を共通化することができる。
【００６５】
また、レンズ３７及び導電部材３６を用いることで、操作領域３１のアイコン、文字列をむらなく表示するとともに、静電センサ３５による操作入力を正確に行うことが可能である。
【００６６】
なお、レンズ３７の凹面３７１は、第１ＬＥＤ３３１から出射された光の全てが入射する、換言すると、第１ＬＥＤ３３１の広がり範囲全体を覆うように設けられていることが好ましい。導電部材３６は、導電性を有するとともに弾性変形可能な構成であるので、多くの場合黒または黒に近い光を吸収しやすい色である。そのため、第１ＬＥＤ３３１から出射される光の広がりの全体を凹面３７１の内部に収めることで、第１ＬＥＤ３３１から出射される光が導電部材３６に吸収されるのを抑制することができる。なお、凹面３７１は、レンズ３７の基板３３と対向する面の中央部分の一部に形成されているが、これに限定されず、レンズ３７の基板３３と対向する面全体が凹面に形成されていてもよい。
【００６７】
本実施形態のボタン３１ａ〜３１ｅは、導電部材３６が弾性変形可能であることで、使用者がボタン３１ａ〜３１ｅを操作するときに加えられる力を分散している。これにより、第１ＬＥＤ３３１、静電センサ３５、基板３３等に作用する力を無くす又は減らすことが可能である。これにより、ボタン３１ａ〜３１ｅの操作による破損や故障等の不具合を抑制することができる。なお、使用者がボタンボタン３１ａ〜３１ｅを操作するときに加えられる力は、表面パネル３４、固定部材３８の変形によっても分散される。
【００６８】
＜第２実施形態＞
本発明にかかる電子機器の他の例について図面を参照して説明する。図１０は、本発明にかかる電子機器に用いられるインターフェース部の操作部の他の例の断面図である。図１０に示す操作領域３９の下方の構造は、レンズ３７の形状が異なるとともに導電部材３６を省略している以外、図８に示す操作領域３１の下方の構造と同じ構成となっている。そのため、操作領域３９の下方の構造で、操作領域３１の下方の構造と実質上同じ部分には、同じ符号を付すとともに同じ部分の詳細な説明は省略する。
【００６９】
図１０に示すように操作領域３９の下方には、レンズ３９１が設けられている。レンズ３９１は、凹面３９２と、出光面３９３と、接触面３９４とを備えている。凹面３９２は、レンズ３７の凹面３７１同様、第１ＬＥＤ３３１から出射された光を受光する受光部である。また、出光面３９３は、レンズ３７の出光面３７３と同様、光が出射する面であり、表面パネル３４の拡散板３４１と密着している。
【００７０】
接触面３９４は、出光面３９３と反対側に形成された平面である、接触面３９４の中心部分に凹面３９２が隣接している。つまり、接触面３９４は凹面３９２を囲む平面である。レンズ３９は拡大部３９５を有しており、拡大部３９５の一部が固定部材３８に保持されている。固定部材３８が、レンズ３９を保持して、表面パネル３４に固定されることで、レンズ３９は、出光面３９３を表面パネル３４の拡散部材３４１に密着し、接触面３９４は静電センサ３５と密着する。
【００７１】
すなわち、表面パネル３４に接触した指等の操作体と静電センサ３５との間には、表面パネル３４とレンズ３９１とが介在し、空気の層が介在しない。これにより、導電部材を省略しても、静電センサ３５に十分な電荷を溜めることができる。静電センサ３５による、操作体の表面パネル３４への接触を正確に検知することが可能である。なお、レンズ３９の接触面３９４と静電センサ３５との間には、導電性を有するグリス等を塗布して、空気の層ができないようにしてもよい。
【００７２】
操作領域３９の下方の構造では、導電部材が不要であるため、構成部材を減らすことが可能である。なお、本変形例では、レンズ３９１を固定部材３８で固定しているが、レンズ３９を表面パネル３４及び静電センサ３５に接着することで、レンズ３９１のずれを抑制できる構成であれば、固定部材３８を省略してもよい。また、本変形例では、レンズ３９１として、出光面３９３に向かって面積が拡大する形状を有しているが、これに限定されるものではない。例えば、レンズ３９１の出光面３９３と直交する軸方向に見て、出光面３９３の外形と接触面３９４の外形とが同じ形状となるものであってもよい。
【００７３】
以上示した実施形態において、レンズ３７及び３９１は、出光面３７３及び３９３が円形で、出光面３７３及び３９３と直交する軸と直交する面で切断した断面が円である。しかしながら、これに限定されるものではない。例えば、ボタンの形状が四角形状である場合、その形状に合わせたレンズを用いることができる。この場合、静電センサもボタンに合せた形状のものとしてもよい。ボタンの形状に合わせた形状のレンズを広く採用することができる。また、ボタンの形状が円以外の形状の場合でも、レンズを軸方向に見て円形のものとしてもよい。この場合、レンズの出光面は、軸方向にみて、ボタンの形状を内包する円形のものを挙げることができる。ボタンの形状を示すアイコンよりも出光面が大きいので、開口に均一又は略均一な光を照射することができ、むらの無い又はむらの少ないアイコン表示が可能である。
【００７４】
また、静電センサも同様に、円形であってもよい。静電センサは、ボタンと軸方向に対向し、操作体とコンデンサを形成するとともに、検知できる十分な電荷を溜めることができる形状及び大きさであればよい。
【００７５】
＜第３実施形態＞
本発明にかかる電子機器の他の例について図面を参照して説明する。図１１は、本発明にかかる電子機器の他の例である加湿空気清浄機の正面側から見た斜視図であり、図１２は、である。以下の説明において、上下、左右、前後と称する場合、図１１に示す状態を基準とする。すなわち、図１１の左側に見えている面が正面（前面）である。そして、正面に向かって、左右方向、上下方向、前後方向をそれぞれ定義する。
【００７６】
図１１に示す、加湿空気清浄機Ｂは、筐体４０と、フィルタユニット５０と、加湿ユニット６０と、送風ユニット７０と、インターフェース部８０とを備えている。筐体４０は、吸込口４１と、通風路４２と、第１吹出し口４３と、第２吹出し口４４と、第１ルーバ４５と、第２ルーバ４６と、ダンパ４７とを備えている。
【００７７】
吸込口４１は、筐体４０の背面に設けられた開口である。送風ユニット７０の駆動によって、吸込口４１から外部の空気が筐体４０の内部に吸い込まれる。吸込口４１の内側には、吸込口４０を覆うようにフィルタユニット５０が取り付けられている。吸込口４１から吸い込まれた空気は、フィルタユニット５０を透過する。通風路４２は、吸込口４１から吸い込まれた空気が通過する風路である。図１２に示すように、吸込口４１から吸い込まれた空気は、前面側に移動するとともに、上方に向かって流れる。
【００７８】
通風路４２は、途中で分岐しており、一方は上面に設けられた第１吹出し口４３に、他方は前面に設けられた第２吹出し口４４にそれぞれ連結している。第１吹出し口４３及び第２吹出し口４４は、通風路４２を流れる空気を外部に吹出す開口である。第１ルーバ４５は、第１吹出し口４３を開閉する。第１ルーバ４５は第１吹出し口４３を閉じる位置から所定の角度開いた状態で停止可能である。第１ルーバ４５を停止することで、第１吹出し口４３から吹出される空気の向きを変更（調整）することができる。第２ルーバ４６は、第１ルーバ４５と同様に構成されている。第２ルーバ４５は、第２吹出し口４４を開閉する。第２ルーバ４６は第２吹出し口４４から吹出される空気の向きを変更（調整）することができる。
【００７９】
ダンパ４７は、通風路４２の内部を流れる空気の風量を、第１吹出し口４３又は第２吹出し口４４に対して、所定の割合で振り分ける。第１ルーバ４５、第２ルーバ４６及びダンパ４７の開閉を調整することで、第１吹出し口４３及び第２吹出し口４４から吹出される気流の流量を調整する。
【００８０】
通風路４２の第１吹出し口４３の近傍には、イオン発生器４８が設けられている。イオン発生器４８は、イオン発生電極が通風路４２に臨んでいる。なお、イオン発生器４８の詳細は、空気清浄機Ａに備えられているイオン発生器１５と同じであるため、詳細な説明は省略する。なお、本実施形態において、イオン発生機４８はダンパ４７と第１吹出し口４３との間に設けられており、第１吹出し口４３から吹出される空気にイオンを供給するようになっている。しかしながら、これに限定されず、イオン発生器４８を、通風路の４２のダンパ４７よりも上流側に、イオン発生電極が望むように配置してもよい。このように配置することで、第１吹出し口４３及び第２吹出し口４４の両方から、イオンを含む空気を吹出すことができる。
【００８１】
フィルタユニット５０と、加湿ユニット６０と、送風ユニット７０とが通風路４２の内部に気流の流れ方向の上流からこの順番に配置されている。そして、通風路４２の加湿ユニット６０の気流の流れ方向の下流に、空気のにおい成分を検出するにおいセンサ４９が設けられている。
【００８２】
においセンサ４９は加湿ユニット６０を通過した空気に含まれるにおい成分を検出する。そして、においセンサ４９は、不図示の制御部に検出結果を送信しており、制御部は、においセンサ４９の検出結果に基づいて、加湿ユニット６０の後述する給水体６３から異臭が発生していることを検出する。そして、制御部は、インターフェース部８０の後述する通知部８０２を利用して使用者に通知を行う。このように、においセンサ４９を備えることで、従来定期的に行っていた、給水体６３のメンテナンスを、必要になった、換言すると、給水体６３から異臭が発生しているタイミングとすることができるため、効率よく給水体６３のメンテナンスを行うことが可能である。
【００８３】
フィルタユニット５０は、枠体５１内に空気の吸込み側から順にプレフィルタ、脱臭フィルタ及び集塵フィルタ（いずれも不図示）が配設される。プレフィルタと脱臭フィルタとの間にはフィルタ押え部材（不図示）が配される。プレフィルタ、脱臭フィルタ及び集塵フィルタは、空気清浄機Ａと同じ構成のものであるため詳細は省略する。
【００８４】
送風ユニット７０は、ファン７１と、モータ７２とを有している。ファン７１は、ここでは、遠心ファンであるが、これに限定されず、設計上、想定されている流量の気流を発生できるものを広く採用することができる。ファン７１はモータ７２の駆動軸に固定されており、モータ７２の駆動によってファン７１が回転する。モータ７２は筐体４０に固定されている。
【００８５】
加湿ユニット６０の詳細について図面を参照して説明する。図１３は、加湿ユニットの斜視図である。図１４は、図１３に示す加湿ユニットに用いられる給水体の正面図である。図１３、図１４に示すように、加湿ユニット６０は、給水タンク６１と、加湿トレイ６２と、給水体６３と、フレーム６４と、フィルタ体６５とを備えている。加湿ユニット６０は、加湿トレイ６２内の水にフィルタ体６５の下部を浸漬し、フィルタ体６５に水をいきわたらせる。そして、気流をフィルタ体６５を通過させることで、空気を加湿する。これにより、第１吹出し口４３及び第２吹出し口４４から加湿された空気を吹出す。
【００８６】
加湿トレイ６２は筐体４０に対して着脱可能に装着され、給水タンク６１及び給水体６３は加湿トレイ６２に対して着脱可能に装着される。これにより、加湿ユニット６０の清掃やメンテナンス等を容易に行うことができる。
【００８７】
給水タンク６１は円筒形状の容器から構成され、例えばＰＥＴ（ポリエチレンテレフタレート）、ＰＰ（ポリプロピレン）等の合成樹脂素材のブロー成形等により形成される。給水タンク６１の一端面には開口部（不図示）が形成され、弁機構（不図示）が設けられている。弁機構が設けられていることで、給水タンク６１を上下ひっくり返しても内部の水が漏れないようになっている。また、加湿トレイ６２には、加湿トレイ６２に溜まっている水が一定量以下になると、弁機構を走査して、タンク６１内の水を加湿トレイ６２に流す。
【００８８】
加湿トレイ６２は上面を開放した略箱型形状であり、樹脂成形品により形成される。加湿トレイ６２は給水体６３を収容する給水体収容部６２１と、給水体収容部６２１に隣設されて給水タンク６１を収容するタンク収容部６２２とを有する。
【００８９】
給水体収容部６２１とタンク収容部６２２との間には仕切板６２３が設けられている。仕切板６２３に形成された連通口６２４により給水体収容部６２１とタンク収容部６２２とは連通する。
【００９０】
給水体６３は、フレーム６４と、フィルタ体６５とを備えている。フレーム６４は、軸方向の端面が水平な円筒形状を有している。フレーム６４は、軸方向の両端面に配した放射状の押え部６４１によってフィルタ体６５を支持している。押え部６４１には、気流が通過する開口６４２が設けられており、開口６４２からフィルタ体６５が露出する。フレーム６４は、軸方向の両端面の一部に弓形の遮蔽部６４３が形成されている。フレーム６４の周面にはラック６４４が形成されている。ラック６４４は、不図示のモータに取り付けられた同じく不図示のピニオンに歯合されている。ピニオンはモータにより回転する。これにより、給水体６３は垂直面内で回転することができる。
【００９１】
給水体６３が垂直面内で回転することで、フレーム６４に保持されているフィルタ体６５の一部が、給水体収容部６２１に溜まっている水に浸漬される。フィルタ体６５の一部が水に浸漬されると、毛管現象によって水が吸い上げられ、フィルタ体６５全体に水が行き渡る。この状態で、開口６４２に気流を流すことで、気流に水分を供給し、加湿を行う。そして、給水体６３を断続的に回転させることで、フィルタ体６５の全体に水をいきわたらせた状態を維持する。これにより、安定的に気流を加湿することができる。これにより、フィルタユニット５０で集塵した空気を加湿し、外部に吹出す、いわゆる、加湿清浄運転を行う。
【００９２】
また、フレーム６４の遮蔽部６４３を下端に配置して給水体６３の回転を停止すると、フィルタ体６５は遮蔽部６４３によって給水トレイ６２１内に溜まっている水に対して遮蔽される。この状態で一定時間、開口６４２を介してフィルタ体６５に気流を通過させることで、フィルタ体６５を乾燥させる。その後、給水体６３の回転を停止した状態で、気流を発生させることで、フィルタユニット５０による集塵動作のみを行う、いわゆる、空気清浄運転を行う。
【００９３】
フィルタ体６５について、図面を参照して説明する。図１５は、フィルタ体の一部を拡大した斜視図である。フィルタ体６５は、通気性及び吸水性を有する不織布等によって形成されている。フィルタ体６５は蛇腹状に折りたたまれており（プリーツ加工されており）、固定材６５１がビード状に配されている。固定材６５１は、弾性変形可能な材料で形成されている。固定材６５１はフィルタ体６５をプリーツ状に維持している。
【００９４】
固定材６５１は、ここでは、内部に無数の空洞を有する多孔質体である。固定材６５１は、溶融した樹脂（ホットメルト接着剤、例えば、ポリオレフィン系樹脂）に、ガス（例えば、窒素ガス）を混入させて、ガスが抜ける前に固化させて内部に空洞を形成したものである。
【００９５】
フィルタ体６５は、シートにホットメルト接着剤にガスを混入させて、フィルタ体６５を構成するシートに線状に塗布する。そして、ホットメルト接着剤が固化する前に、ホットメルト接着剤に沿う方向にシートを折りたたむ。これにより、ホットメルト接着剤同士が接着される。そして、内部にガスが混入されたホットメルト接着剤は、硬化することで、ガスが今有している部分が空洞の固定材６５１となる。
【００９６】
固定材６５１でプリーツ状に形成されたフィルタ体６５はフレーム６４よりも軸方向の幅が大きくなる。これにより、フィルタ体６５をフレーム６５に取り付けたとき、フィルタ体６５はフレーム６４の押え部６４１と圧着し、フィルタ体６５が折れたり、曲がったりしにくくなる。なお、押え部６４１には、固定材が６５１が接触するようにしてもよい。固定材６５１は、弾性変形可能であるため、固定材６５１を押え部６４１でしっかり保持することができる。
【００９７】
図１６は、筐体の上面に設けられたインターフェース部の概略図である。図１６に示すように、インターフェース部８０は、操作部８０１と、通知部８０２とを有している。操作部８０１はボタン８１ａ〜８１ｊを有している。ボタン８１ａ〜８１ｊはそれぞれ加湿空気清浄機Ｂの操作が関連付けられており、ボタン８１ａ〜８１ｊを押すことで、各操作を行う。ボタン８１ａ〜８１ｊは、関連付けられている操作は異なるが、ボタン３１ａ〜３１ｅと同じ構造を有している。そのため、詳細な説明は省略する。
【００９８】
通知部８０２は表示部８２ａ〜８２ｈを有している。表示部８２〜８１ｇはそれぞれ加湿空気清浄機Ｂの情報を表示する。表示部８２ａ〜８２ｈは、通知している内容は異なるが、表示部３２ａ〜３２ｆと同じ構造を有している。そのため、詳細な説明は省略する。
【００９９】
以上説明した、実施形態では、電子機器として、空気清浄機、加湿空気清浄機を例に挙げているが、これら以外にも、例えば、冷蔵庫、洗濯機、加熱調理器、オーディオ機器等を挙げることができる。また、電子機器は、上述の機器に限定されるものではない。使用者の指等の操作体が接触することで、操作入力を行うとともに、操作領域を示す形状や操作に関連付けられた文字や図形（アイコン）を照光により表示する操作部と、照光により情報を通知する通知部とを有するインターフェース部を備えた電子機器を挙げることができる。
【符号の説明】
【０１００】
Ａ  空気清浄機
１０  筐体
１１  吸込口
１２  通風路
１２１  分岐部
１２２  分岐風路
１３  吹出し口
１３１  グリル
１４  開口部
１５  イオン発生器
２０  集塵機
２１  プレフィルタ
２１１  枠
２１２  メッシュ
２２  集塵フィルタ
２２１  ろ材
２２２  枠材
２３  除塵部
２３１  回転ブラシ
２３２  ダストボックス
２３３  ガイドフレーム
２３４  ピニオン
２４  送風機
３０  インターフェース部
３０１  操作部
３０２  通知部
３１  操作領域
３１ａ〜３１ｆ  ボタン
３２  通知領域
３２ａ〜３２ｆ  表示部
３３  基板
３３１  第１ＬＥＤ
３３２  第２ＬＥＤ
３４  表面パネル
３４１  拡散部材
３４２  遮光部材
３４３  透光部材
３４４  開口
３５  静電センサ
３６  導電部材
３７  レンズ
３７１  凹面
３７２  拡大部
３７３  出光面
３８  固定部材
３８１  貫通孔
３８２  傾斜面
３９  操作領域
３９１  レンズ
３９２  凹面
３９３  出光面
３９４  接触面
３９５  拡大部
Ｂ  加湿空気清浄機
４０  筐体
４１  吸込口
４２  通風路
４３  第１吹出し口
４４  第２吹出し口
４５  第１ルーバ
４６  第２ルーバ
４７  ダンパ
４８  イオン発生器
４９  においセンサ
５０  フィルタユニット
５１  枠体
６０  加湿ユニット
６１  給水タンク
６２  加湿トレイ
６２１  給水体収容部
６２２  タンク収容部
６２３  仕切板
６２４  連通口
６３  給水体
６４  フレーム
６４１  押え部
６４２  開口
６４３  遮蔽部
６４４  ラック
６５  フィルタ体
６５１  固定材
７０  送風ユニット
７１  ファン
７２  モータ
８０  インタフェース部
８０１  操作部
８０２  通知部
８１ａ〜８１ｊ  ボタン
８２ａ〜８２ｈ  表示部
【図１】
2017090954.tif 000003
【図２】
2017090954.tif 000004
【図３】
2017090954.tif 000005
【図４】
2017090954.tif 000006
【図５】
2017090954.tif 000007
【図６】
2017090954.tif 000008
【図７】
2017090954.tif 000009
【図８】
2017090954.tif 000010
【図９】
2017090954.tif 000011
【図１０】
2017090954.tif 000012
【図１１】
2017090954.tif 000013
【図１２】
2017090954.tif 000014
【図１３】
2017090954.tif 000015
【図１４】
2017090954.tif 000016
【図１５】
2017090954.tif 000017
【図１６】
2017090954.tif 000018